【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数の直交周波数分割多重化（ＯＦＤＭ）シンボル位置を備える、揃えられたクリアチャネルアセスメント（ＣＣＡ）期間において、次の送信間隔における送信に対するアンライセンススペクトラムの利用可能性を決定するために、複数の基地局にわたってＣＣＡスロットを同期させることを備え、前記ＣＣＡスロットの第１のＣＣＡスロットは前記複数のＯＦＤＭシンボル位置の第１のＯＦＤＭシンボル位置と揃えられ、前記ＣＣＡスロットの第２のＣＣＡスロットは前記ＯＦＤＭシンボル位置の第２のＯＦＤＭシンボル位置と揃えられる、方法。
【請求項２】
前記送信はダウンリンク送信を備える、請求項１に記載の方法。
【請求項３】
前記ＣＣＡスロットは現在のゲーティング間隔の最後のサブフレームに位置する、請求項１に記載の方法。
【請求項４】
前記ＣＣＡスロットは現在のゲーティング間隔の最初のサブフレームに位置する、請求項１に記載の方法。
【請求項５】
隣接するＣＣＡスロットの開始点の間の間隔は概ね、１つのＯＦＤＭシンボルの継続時間である、請求項１に記載の方法。
【請求項６】
前記アンライセンススペクトラムの前記利用可能性を決定する前記ＣＣＡスロットの１つを特定することをさらに備え、前記１つのＣＣＡスロットは、ランダム化シードによって駆動される擬似ランダム選択シーケンスに少なくとも一部基づいて特定される、請求項１に記載の方法。
【請求項７】
前記複数の基地局のサブセットは、その擬似ランダム選択シーケンスの生成のために同じランダム化シードを使用し、前記サブセットは、単一の通信事業者による基地局の展開と関連付けられる、請求項６に記載の方法。
【請求項８】
前記第１のＯＦＤＭシンボル位置および前記第２のＯＦＤＭシンボル位置は隣接しない、請求項１に記載の方法。
【請求項９】
ワイヤレス通信のための装置であって、
複数の直交周波数分割多重化（ＯＦＤＭ）シンボル位置を備える、揃えられたクリアチャネルアセスメント（ＣＣＡ）期間において、次の送信間隔における送信に対するアンライセンススペクトラムの利用可能性を決定するために、複数の基地局にわたってＣＣＡスロットを同期するための手段を備え、前記ＣＣＡスロットの第１のＣＣＡスロットは前記複数のＯＦＤＭシンボル位置の第１のＯＦＤＭシンボル位置と揃えられ、前記ＣＣＡスロットの第２のＣＣＡスロットは前記ＯＦＤＭシンボル位置の第２のＯＦＤＭシンボル位置と揃えられる、装置。
【請求項１０】
前記送信はダウンリンク送信を備える、請求項９に記載の装置。
【請求項１１】
前記ＣＣＡスロットは現在のゲーティング間隔の最後のサブフレームに位置する、請求項９に記載の装置。
【請求項１２】
前記ＣＣＡスロットは現在のゲーティング間隔の最初のサブフレームに位置する、請求項９に記載の装置。
【請求項１３】
隣接するＣＣＡスロットの開始点の間の間隔は概ね、１つのＯＦＤＭシンボルの継続時間である、請求項９に記載の装置。
【請求項１４】
アンライセンススペクトラムの前記利用可能性を決定する前記ＣＣＡスロットの１つを特定するための手段をさらに備え、前記１つのＣＣＡスロットは、ランダム化シードによって駆動される擬似ランダム選択シーケンスに少なくとも一部基づいて特定される、請求項９に記載の装置。
【請求項１５】
前記複数の基地局のサブセットは、その擬似ランダム選択シーケンスの生成のために同じランダム化シードを使用し、前記サブセットは、単一の通信事業者による基地局の展開と関連付けられる、請求項１４に記載の装置。
【請求項１６】
前記第１のＯＦＤＭシンボル位置および前記第２のＯＦＤＭシンボル位置は隣接しない、請求項９に記載の装置。
【請求項１７】
ワイヤレス通信のための装置であって、
プロセッサと、
前記プロセッサと電気的に通信しているメモリと、
前記メモリに記憶された命令と、
を備え、前記命令は、
複数の直交周波数分割多重化（ＯＦＤＭ）シンボル位置を備える、揃えられたクリアチャネルアセスメント（ＣＣＡ）期間において、次の送信間隔における送信に対するアンライセンススペクトラムの利用可能性を決定するために、複数の基地局にわたってＣＣＡスロットを同期するように、前記プロセッサによって実行可能であり、前記ＣＣＡスロットの第１のＣＣＡスロットは前記複数のＯＦＤＭシンボル位置の第１のＯＦＤＭシンボル位置と揃えられ、前記ＣＣＡスロットの第２のＣＣＡスロットは前記ＯＦＤＭシンボル位置の第２のＯＦＤＭシンボル位置と揃えられる、装置。
【請求項１８】
前記送信はダウンリンク送信を備える、請求項１７に記載の装置。
【請求項１９】
前記ＣＣＡスロットは現在のゲーティング間隔の最後のサブフレームに位置する、請求項１７に記載の装置。
【請求項２０】
前記ＣＣＡスロットは現在のゲーティング間隔の最初のサブフレームに位置する、請求項１７に記載の装置。
【請求項２１】
隣接するＣＣＡスロットの開始点の間の間隔は概ね、１つのＯＦＤＭシンボルの継続時間である、請求項１７に記載の装置。
【請求項２２】
前記命令は、
アンライセンススペクトラムの前記利用可能性を決定する前記ＣＣＡスロットの１つを特定するように、前記プロセッサによって実行可能であり、前記１つのＣＣＡスロットは、ランダム化シードによって駆動される擬似ランダム選択シーケンスに少なくとも一部基づいて特定される、請求項１７に記載の装置。
【請求項２３】
前記複数の基地局のサブセットは、その擬似ランダム選択シーケンスの生成のために同じランダム化シードを使用し、前記サブセットは、単一の通信事業者による基地局の展開と関連付けられる、請求項２２に記載の装置。
【請求項２４】
前記第１のＯＦＤＭシンボル位置および前記第２のＯＦＤＭシンボル位置は隣接しない、請求項１７に記載の装置。
【請求項２５】
ワイヤレス通信システムにおけるワイヤレス通信装置による通信のためのコンピュータプログラム製品であって、前記ワイヤレス通信装置に、
複数の直交周波数分割多重化（ＯＦＤＭ）シンボル位置を備える、揃えられたクリアチャネルアセスメント（ＣＣＡ）期間において、次の送信間隔における送信に対するアンライセンススペクトラムの利用可能性を決定するために、複数の基地局にわたってＣＣＡスロットを同期させるように、
プロセッサによって実行可能な命令を記憶した、非一時的コンピュータ可読媒体を備え、前記ＣＣＡスロットの第１のＣＣＡスロットは前記複数のＯＦＤＭシンボル位置の第１のＯＦＤＭシンボル位置と揃えられ、前記ＣＣＡスロットの第２のＣＣＡスロットは前記ＯＦＤＭシンボル位置の第２のＯＦＤＭシンボル位置と揃えられる、コンピュータプログラム製品。
【請求項２６】
前記送信はダウンリンク送信を備える、請求項２５に記載のコンピュータプログラム製品。
【請求項２７】
前記ＣＣＡスロットは現在のゲーティング間隔の最後のサブフレームに位置する、請求項２５に記載のコンピュータプログラム製品。
【請求項２８】
前記ＣＣＡスロットは現在のゲーティング間隔の最初のサブフレームに位置する、請求項２５に記載のコンピュータプログラム製品。
【請求項２９】
隣接するＣＣＡスロットの開始点の間の間隔は概ね、１つのＯＦＤＭシンボルの継続時間である、請求項２５に記載のコンピュータプログラム製品。
【請求項３０】
前記命令は、前記ワイヤレス通信装置に、
アンライセンススペクトラムの前記利用可能性を決定する前記ＣＣＡスロットの１つを特定させるように、前記プロセッサによって実行可能であり、前記１つのＣＣＡスロットは、ランダム化シードによって駆動される擬似ランダム選択シーケンスに少なくとも一部基づいて特定される、請求項２５に記載のコンピュータプログラム製品。
【請求項３１】
前記複数の基地局のサブセットは、その擬似ランダム選択シーケンスの生成のために同じランダム化シードを使用し、前記サブセットは、単一の通信事業者による基地局の展開と関連付けられる、請求項３０に記載のコンピュータプログラム製品。
【請求項３２】
前記第１のＯＦＤＭシンボル位置および前記第２のＯＦＤＭシンボル位置は隣接しない、請求項２５に記載のコンピュータプログラム製品。
【請求項３３】
ワイヤレス通信のための方法であって、
複数の直交周波数分割多重化（ＯＦＤＭ）シンボル位置を備える、揃えられたクリアチャネルアセスメント（ＣＣＡ）期間において、次の送信間隔における送信に対するアンライセンススペクトラムの利用可能性を決定するために、複数の進化型ノードＢ（ｅＮＢ）にわたって同期された複数のＣＣＡスロットの１つの間にＣＣＡを実行することを備え、前記ＣＣＡスロットの第１のＣＣＡスロットは前記複数のＯＦＤＭシンボル位置の第１のＯＦＤＭシンボル位置と揃えられ、前記ＣＣＡスロットの第２のＣＣＡスロットは前記ＯＦＤＭシンボル位置の第２のＯＦＤＭシンボル位置と揃えられる、方法。
【請求項３４】
前記送信はダウンリンク送信を備える、請求項３３に記載の方法。
【請求項３５】
前記ｅＮＢの２つ以上は、ゲーティング間隔の間にＣＣＡを実行するために同じＣＣＡスロットを使用する、請求項３３に記載の方法。
【請求項３６】
ランダム化シードから生成される擬似ランダム選択シーケンスに少なくとも一部基づいて、前記１つのＣＣＡスロットを特定することをさらに備える、請求項３３に記載の方法。
【請求項３７】
バックホールを通じて前記複数のｅＮＢの少なくとも１つのサブセットの間で交換される協調情報に少なくとも一部基づいて、前記１つのＣＣＡスロットを特定することをさらに備える、請求項３３に記載の方法。
【請求項３８】
前記アンライセンススペクトラムが利用可能であると決定されるとき、前記次の送信間隔の間に前記アンライセンススペクトラムをリザーブするために、前記次の送信間隔の前に１つまたは複数の信号を送信することをさらに備える、請求項３３に記載の方法。
【請求項３９】
前記１つまたは複数の信号の各々は前記複数のＣＣＡスロットの１つの境界において開始する、請求項３８に記載の方法。
【請求項４０】
前記１つまたは複数の信号は、前記アンライセンススペクトラム上でのチャネル品質の推定と時間−周波数の同期との１つまたは両方のための、少なくとも１つのパイロット信号を備える、請求項３８に記載の方法。
【請求項４１】
前記少なくとも１つのパイロット信号は、前記複数のｅＮＢのそれぞれ１つにチャネル品質を報告するために、異なるリソース要素に対するチャネル品質測定を行うために、ユーザ機器（ＵＥ）によって使用される、請求項４０に記載の方法。
【請求項４２】
前記１つまたは複数の信号に応答して、それぞれのＵＥからチャネル品質の報告を前記複数のｅＮＢの１つにおいて受信することと、前記報告は、前記少なくとも１つのパイロット信号を使用して異なるリソース要素に対して前記ＵＥによって行われるチャネル品質測定に少なくとも基づく、
干渉を回避するために複数のＵＥの間で断片的なリソースの再使用を提供するために、前記１つのｅＮＢから前記それぞれのＵＥへの送信のためにリソース要素を割り振ることと、
をさらに備える、請求項４０に記載の方法。
【請求項４３】
前記第１のＯＦＤＭシンボル位置および前記第２のＯＦＤＭシンボル位置は隣接しない、請求項３３に記載の方法。
【請求項４４】
ワイヤレス通信のための装置であって、
複数の直交周波数分割多重化（ＯＦＤＭ）シンボル位置を備える、揃えられたクリアチャネルアセスメント（ＣＣＡ）期間において、次の送信間隔における送信に対するアンライセンススペクトラムの利用可能性を決定するために、複数の進化型ノードＢ（ｅＮＢ）にわたって同期された複数のＣＣＡスロットの１つの間にＣＣＡを実行するための手段を備え、前記ＣＣＡスロットの第１のＣＣＡスロットは前記複数のＯＦＤＭシンボル位置の第１のＯＦＤＭシンボル位置と揃えられ、前記ＣＣＡスロットの第２のＣＣＡスロットは前記ＯＦＤＭシンボル位置の第２のＯＦＤＭシンボル位置と揃えられる、装置。
【請求項４５】
前記送信はダウンリンク送信を備える、請求項４４に記載の装置。
【請求項４６】
前記ｅＮＢの２つ以上は、ゲーティング間隔の間にＣＣＡを実行するために同じＣＣＡスロットを使用する、請求項４４に記載の装置。
【請求項４７】
ランダム化シードから生成される擬似ランダム選択シーケンスに少なくとも一部基づいて、前記１つのＣＣＡスロットを特定するための手段をさらに備える、請求項４４に記載の装置。
【請求項４８】
バックホールを通じて前記複数のｅＮＢの少なくとも１つのサブセットの間で交換される協調情報に少なくとも一部基づいて、前記１つのＣＣＡスロットを特定するための手段をさらに備える、請求項４４に記載の装置。
【請求項４９】
前記アンライセンススペクトラムが利用可能であると決定されるとき、前記次の送信間隔の間に前記アンライセンススペクトラムをリザーブするために、前記次の送信間隔の前に１つまたは複数の信号を送信するための手段をさらに備える、請求項４４に記載の装置。
【請求項５０】
前記１つまたは複数の信号の各々は前記複数のＣＣＡスロットの１つの境界において開始する、請求項４９に記載の装置。
【請求項５１】
前記１つまたは複数の信号は、前記アンライセンススペクトラム上でのチャネル品質の推定と時間−周波数の同期との１つまたは両方のための、少なくとも１つのパイロット信号を備える、請求項４９に記載の装置。
【請求項５２】
前記少なくとも１つのパイロット信号は、前記複数のｅＮＢのそれぞれ１つにチャネル品質を報告するために、異なるリソース要素に対するチャネル品質測定を行うために、ユーザ機器（ＵＥ）によって使用される、請求項５１に記載の装置。
【請求項５３】
前記１つまたは複数の信号に応答して、それぞれのＵＥからチャネル品質の報告を前記複数のｅＮＢの１つにおいて受信するための手段と、前記報告は、前記少なくとも１つのパイロット信号を使用して異なるリソース要素に対して前記ＵＥによって行われるチャネル品質測定に少なくとも基づく、
干渉を回避するために複数のＵＥの間で断片的なリソースの再使用を提供するために、前記１つのｅＮＢから前記それぞれのＵＥへの送信のためにリソース要素を割り振るための手段と、
をさらに備える、請求項５１に記載の装置。
【請求項５４】
前記第１のＯＦＤＭシンボル位置および前記第２のＯＦＤＭシンボル位置は隣接しない、請求項４４に記載の装置。
【請求項５５】
ワイヤレス通信のための装置であって、
プロセッサと、
前記プロセッサと電気的に通信しているメモリと、
前記メモリに記憶された命令と、
を備え、前記命令は、
複数の直交周波数分割多重化（ＯＦＤＭ）シンボル位置を備える、揃えられたクリアチャネルアセスメント（ＣＣＡ）期間において、次の送信間隔における送信に対するアンライセンススペクトラムの利用可能性を決定するために、複数の進化型ノードＢ（ｅＮＢ）にわたって同期された複数のＣＣＡスロットの１つの間にＣＣＡを実行するように、前記プロセッサによって実行可能であり、前記ＣＣＡスロットの第１のＣＣＡスロットは前記複数のＯＦＤＭシンボル位置の第１のＯＦＤＭシンボル位置と揃えられ、前記ＣＣＡスロットの第２のＣＣＡスロットは前記ＯＦＤＭシンボル位置の第２のＯＦＤＭシンボル位置と揃えられる、装置。
【請求項５６】
前記送信はダウンリンク送信を備える、請求項５５に記載の装置。
【請求項５７】
前記ｅＮＢの２つ以上は、ゲーティング間隔の間にＣＣＡを実行するために同じＣＣＡスロットを使用する、請求項５５に記載の装置。
【請求項５８】
前記命令はさらに、
ランダム化シードから生成される擬似ランダム選択シーケンスに少なくとも一部基づいて、前記１つのＣＣＡスロットを特定するように、前記プロセッサによって実行可能である、請求項５５に記載の装置。
【請求項５９】
前記命令はさらに、
バックホールを通じて前記複数のｅＮＢの少なくとも１つのサブセットの間で交換される協調情報に少なくとも一部基づいて、前記１つのＣＣＡスロットを特定するように、前記プロセッサによって実行可能である、請求項５５に記載の装置。
【請求項６０】
前記命令はさらに、
前記アンライセンススペクトラムが利用可能であると決定されるとき、前記次の送信間隔の間に前記アンライセンススペクトラムをリザーブするために、前記次の送信間隔の前に１つまたは複数の信号を送信するように、前記プロセッサによって実行可能である、請求項５５に記載の装置。
【請求項６１】
前記１つまたは複数の信号の各々は前記複数のＣＣＡスロットの１つの境界において開始する、請求項６０に記載の装置。
【請求項６２】
前記１つまたは複数の信号は、前記アンライセンススペクトラム上でのチャネル品質の推定と時間−周波数の同期との１つまたは両方のための、少なくとも１つのパイロット信号を備える、請求項６０に記載の装置。
【請求項６３】
前記少なくとも１つのパイロット信号は、前記複数のｅＮＢのそれぞれ１つにチャネル品質を報告するために、異なるリソース要素に対するチャネル品質測定を行うために、ユーザ機器（ＵＥ）によって使用される、請求項６２に記載の装置。
【請求項６４】
前記命令はさらに、
前記１つまたは複数の信号に応答して、それぞれのＵＥからチャネル品質の報告を前記複数のｅＮＢの１つにおいて受信することと、前記報告は、前記少なくとも１つのパイロット信号を使用して異なるリソース要素に対して前記ＵＥによって行われるチャネル品質測定に少なくとも基づく、
干渉を回避するために複数のＵＥの間で断片的なリソースの再使用を提供するために、前記１つのｅＮＢから前記それぞれのＵＥへの送信のためにリソース要素を割り振ることと、
を行うように、前記プロセッサによって実行可能である、請求項６２に記載の装置。
【請求項６５】
前記第１のＯＦＤＭシンボル位置および前記第２のＯＦＤＭシンボル位置は隣接しない、請求項５５に記載の装置。
【請求項６６】
ワイヤレス通信システムにおけるワイヤレス通信装置による通信のためのコンピュータプログラム製品であって、前記ワイヤレス通信装置に、
複数の直交周波数分割多重化（ＯＦＤＭ）シンボル位置を備える、揃えられたクリアチャネルアセスメント（ＣＣＡ）期間において、次の送信間隔における送信に対するアンライセンススペクトラムの利用可能性を決定するために、複数の進化型ノードＢ（ｅＮＢ）にわたって同期された複数のＣＣＡスロットの１つの間にＣＣＡを実行させるように、プロセッサによって実行可能な命令を記憶した、非一時的コンピュータ可読媒体を備え、前記ＣＣＡスロットの第１のＣＣＡスロットは前記複数のＯＦＤＭシンボル位置の第１のＯＦＤＭシンボル位置と揃えられ、前記ＣＣＡスロットの第２のＣＣＡスロットは前記ＯＦＤＭシンボル位置の第２のＯＦＤＭシンボル位置と揃えられる、コンピュータプログラム製品。
【請求項６７】
前記送信はダウンリンク送信を備える、請求項６６に記載のコンピュータプログラム製品。
【請求項６８】
前記ｅＮＢの２つ以上は、ゲーティング間隔の間にＣＣＡを実行するために同じＣＣＡスロットを使用する、請求項６６に記載のコンピュータプログラム製品。
【請求項６９】
前記命令は、前記ワイヤレス通信装置に、
ランダム化シードから生成される擬似ランダム選択シーケンスに少なくとも一部基づいて、前記１つのＣＣＡスロットを特定させるように、前記プロセッサによって実行可能である、請求項６６に記載のコンピュータプログラム製品。
【請求項７０】
前記命令は、前記ワイヤレス通信装置に、
バックホールを通じて前記複数のｅＮＢの少なくとも１つのサブセットの間で交換される協調情報に少なくとも一部基づいて、前記１つのＣＣＡスロットを特定させるように、前記プロセッサによって実行可能である、請求項６６に記載のコンピュータプログラム製品。
【請求項７１】
前記命令は、前記ワイヤレス通信装置に、
前記アンライセンススペクトラムが利用可能であると決定されるとき、前記次の送信間隔の間に前記アンライセンススペクトラムをリザーブするために、前記次の送信間隔の前に１つまたは複数の信号を送信させるように、前記プロセッサによって実行可能である、請求項６６に記載のコンピュータプログラム製品。
【請求項７２】
前記１つまたは複数の信号の各々は前記複数のＣＣＡスロットの１つの境界において開始する、請求項７１に記載のコンピュータプログラム製品。
【請求項７３】
前記１つまたは複数の信号は、前記アンライセンススペクトラム上でのチャネル品質の推定と時間−周波数の同期との１つまたは両方のための、少なくとも１つのパイロット信号を備える、請求項７１に記載のコンピュータプログラム製品。
【請求項７４】
前記少なくとも１つのパイロット信号は、前記複数のｅＮＢのそれぞれ１つにチャネル品質を報告するために、異なるリソース要素に対するチャネル品質測定を行うために、ユーザ機器（ＵＥ）によって使用される、請求項７３に記載のコンピュータプログラム製品。
【請求項７５】
前記命令は、前記ワイヤレス通信装置に、前記１つまたは複数の信号に応答して、それぞれのＵＥからチャネル品質の報告を前記複数のｅＮＢの１つにおいて受信させることと、前記報告は、前記少なくとも１つのパイロット信号を使用して異なるリソース要素に対して前記ＵＥによって行われるチャネル品質測定に少なくとも基づく、
干渉を回避するために複数のＵＥの間で断片的なリソースの再使用を提供するために、前記１つのｅＮＢから前記それぞれのＵＥへの送信のためにリソース要素を割り振らせることと、
を行うように、前記プロセッサによって実行可能である、請求項７３に記載のコンピュータプログラム製品。
【請求項７６】
前記第１のＯＦＤＭシンボル位置および前記第２のＯＦＤＭシンボル位置は隣接しない、請求項６６に記載のコンピュータプログラム製品。